(57)【要約】  本開示は、フランジ部分（４０１）と、反転型のドーム部分（４０３）と、フランジ部分を反転型のドーム部分に結合している遷移部分（４０２）と、を含みうる破裂板（４００）に関する。ドーム部分は、頂点を規定することができる。ドーム部分は、頂点におけるインデント加工（４０４）及び／又は脆弱性のライン（４０５）を更に規定してもよく、これらは、遷移部分の近傍に位置することができ、及び／又は、破裂を開始するように構成された相対的に脆弱なセグメントを含むことができる。一体的な応力集中特徴を提供することができる。脆弱性のライン及び／又はドーム形の部分のベースは、非円形であってよい。また、本開示は、ホルダ（４１０）内にクリンプ処理された破裂板にも関する。また、本開示は、破裂可能な部分を規定する壁を有する容器にも関する。【選択図】図４
2020537099.tif 000002
【特許請求の範囲】
【請求項１】
フランジ部分と、
反転型のドーム部分と、
前記フランジ部分を前記反転型のドーム部分に結合する遷移部分と、を備え、
前記ドーム部分は頂点を規定し、且つ、前記ドーム部分は、前記頂点にインデント加工をさらに規定し、
前記ドーム部分は、脆弱性のラインをさらに規定する、破裂板。
【請求項２】
前記脆弱性のラインは前記遷移部分の近傍に位置決めされる、請求項１に記載の破裂板。
【請求項３】
前記破裂板は、前記ドーム部分の反転の際に集中した応力を前記脆弱性のラインに適用するように構成された一体的な応力集中特徴をさらに備える、請求項１に記載の破裂板。
【請求項４】
前記脆弱性のラインは、相対的に脆弱なセグメントを含むように構成され、且つ、前記ドーム部分は、反転の際に前記相対的に脆弱なセグメントにおいて破裂を開始するように構成される、請求項１に記載の破裂板。
【請求項５】
前記少なくとも１つの脆弱性のラインは、前記破裂板の直径に対して偏心した状態において非円形であるか、角を有しているか、又は、湾曲したものと角を有するものの組合せである、請求項１に記載の破裂板。
【請求項６】
前記ドーム部分のベースは非円形である、請求項１に記載の破裂板。
【請求項７】
前記ドーム部分の前記ベースは、正方形形状、多角形、矩形、五角形、又は六角形のうちの１つである、請求項６に記載の破裂板。
【請求項８】
前記ドーム部分は、少なくとも１つの脆弱性のラインを規定しており、前記少なくとも１つの脆弱性のラインは、前記破裂板の直径に対して偏心した状態において非円形であるか、角を有しているか、又は、湾曲したものと角を有するものの組合せである、請求項７に記載の破裂板。
【請求項９】
前記頂点は、前記破裂板の中央半径方向直径からオフセットされている、請求項１に記載の破裂板。
【請求項１０】
フランジ部分と、反転型のドーム部分と、を有する破裂板と、
ホルダであって、前記破裂板を前記ホルダ内の位置にクリンプ処理するように構成されたホルダと、を備える破裂板組立体。
【請求項１１】
前記破裂板と前記ホルダとの間に流体密の障壁を形成するように構成された封止体をさらに備える、請求項１０に記載の破裂板組立体。
【請求項１２】
前記封止体はポケット封止体である、請求項１１に記載の破裂板組立体。
【請求項１３】
少なくとも１つの容器壁を備え、
前記少なくとも１つの容器壁は、破裂可能な部分を規定する、封止された容器。
【請求項１４】
フランジ部分と、
反転型のドーム部分と、
前記フランジ部分を前記反転型のドーム部分に結合する遷移部分と、を備え、
前記ドーム部分は頂点を規定し、且つ、前記ドーム部分は、前記頂点にインデント加工をさらに規定し、
前記ドーム部分は、前記遷移部分の近傍に脆弱性のラインをさらに規定し、
前記脆弱性のラインは、相対的に脆弱なセグメントを含むように構成され、
前記ドーム部分は、反転の際に前記相対的に脆弱なセグメントにおいて破裂を開始するように構成される、破裂板。
【請求項１５】
フランジ部分と、
反転型のドーム部分と、
前記フランジ部分を前記反転型のドーム部分に結合する遷移部分と、を備え、
前記ドーム部分は頂点を規定し、且つ、前記ドーム部分は、前記頂点にインデント加工をさらに規定し、
前記ドーム部分は、少なくとも１つの脆弱性のラインをさらに規定し、前記少なくとも１つの脆弱性のラインは、前記破裂板の直径に対して偏心した状態において非円形であるか、角を有しているか、又は、湾曲したものと角を有するものの組合せである、破裂板。
【請求項１６】
フランジ部分と、
反転型のドーム部分と、
前記フランジ部分を前記反転型のドーム部分に結合する遷移部分と、を備え、
前記ドーム部分は、少なくとも１つの脆弱性のラインを規定し、前記少なくとも１つの脆弱性のラインは、前記破裂板の直径に対して偏心した状態において非円形であるか、角を有しているか、又は、湾曲したものと角を有するものの組合せである、破裂板。
【請求項１７】
フランジ部分と、
ベースを有する反転型のドーム部分と、
前記フランジ部分を前記反転型のドーム部分に結合する遷移部分と、を備え、
前記ドーム部分は頂点を規定し、且つ、前記ドーム部分は、前記頂点にインデント加工をさらに規定し、
前記ドーム部分の前記ベースは非円形である、破裂板。
【請求項１８】
前記ドーム部分の前記ベースは、正方形形状、多角形、矩形、五角形、又は六角形のうちの１つである、請求項１７に記載の破裂板。
【請求項１９】
前記ドーム部分は、少なくとも１つの脆弱性のラインを規定し、前記少なくとも１つの脆弱性のラインは、前記破裂板の直径に対して偏心した状態において非円形であるか、角を有しているか、又は、湾曲したものと角を有するものの組合せである、請求項１８に記載の破裂板。
【請求項２０】
フランジ部分と、
反転型のドーム部分と、
前記フランジ部分を前記反転型のドーム部分に結合する遷移部分と、を備え、
前記ドーム部分は頂点を規定し、且つ、前記頂点は、前記破裂板の中央半径方向直径からオフセットされ、
前記ドーム部分は、脆弱性のラインをさらに規定し、前記脆弱性のラインは非円形である、破裂板。
【請求項２１】
前記頂点は、インデント加工をさらに規定する、請求項２０に記載の破裂板。
【発明の詳細な説明】
【技術分野】
【０００１】
[001]  本開示は、封止された、部分的に封止された、及び／又は、加圧された、システムと共に使用するのに適した破裂板に関する。
【背景技術】
【０００２】
[002]  容器内において封止されうる流体を処理、搬送、保存、又は利用する多くのタイプのシステムが存在している。流体は、液体、ガス、或いは、液体及びガスの混合物であってよい。また、流体は、固体成分をも含みうる。例えば、システムは、固体粒子を含むガスを収容することができる。別の例として、システムは、流体環境において固体成分を搬送することができる。封止された容器は、加圧することができる。或いは、この代わりに、封止された容器は、加圧状態となりうるプロセス（例えば、化学物質）を収容することもできる。これらのタイプの封止されたシステムの安全性を保証するべく、それぞれのこのようなシステムは、通常、システムの過加圧を防止するように（或いは、少なくともその際にアラーム通知を提供するように）設計された安全装置を含む。緊急事態においては、封止された容器の内側の圧力は、選択された場所においてシステムから流体を放出するための開口部を生成するべく、安全装置に対して作用する。開口部の生成に加えて、安全装置は、危険な過加圧状況が発生している、或いは、その発生が間近に迫りつつありうる、ことを通知する、アラート警告を単に提供することもできる。実際に、破裂する、或いは、その他の方法で開放する、装置においては、開口部を通じた環境又は安全リザーバへの流体の放出により、システム内の圧力が低減され、且つ、流体の高圧に起因したシステムの別の部分における障害の発生が防止されている。
【０００３】
[003]  破裂板は、一般に使用されている安全装置の一例である。破裂板は、破裂板の特定の部分をシステム内の流体に曝露させるべく、封止されたシステムに装着することができる。流体に曝露される破裂板の部分は、容器内の流体が既定の圧力に到達した際に破裂又は断裂するように構成されている。円板の断裂又は破裂は、加圧された流体がシステム内の圧力を低減するべく流れる開口部を生成する。破裂板は、特定の圧力、具体的には、「破裂パターン」、に応答して、特定の場所における開口を保証するように設計された脆弱性のライン（line of weakness）を含むことができる。脆弱性のラインは、レーザー、機械的な変位又は薄化、或いは、円板の一部分からの材料の除去又は円板の一部分からの材料の変位を伴う化学的エッチングプロセスにより、提供することができる。また、脆弱性のラインは、本発明の譲受人に譲渡された米国特許第５，９３４，３０８号に記述されているように、部分的な剪断プロセスを通じて生成されてもよく、この特許文献は、あたかも本明細書において記述されているかのように、引用により、そのすべてが本明細書に包含される。
【０００４】
[004]  「反転型（reverse-buckling）」の破裂板圧力解放装置の分野においては、確実な、且つ、再現可能な、圧力応答装置を提供する手段として、凹／凸形状の構造が使用されている。既知の反転型装置は、構造の凸側が既定の過圧力に曝露された際に、構造が、撓み、且つ、反転し、これにより、凸側が凹形状内に潰れることになるように設計される。破裂板は、脆弱性のラインを利用して、反転するのみならず、開放するように、設計することができる。
【発明の概要】
【０００５】
[005]  当技術分野における１つ又は複数の欠点を克服する、及び／又は、更なる利益を提供する、圧力応答装置に対するニーズが存在している。
【図面の簡単な説明】
【０００６】
【図１Ａ】破裂板１００とは別個のコンポーネントとして支持リング１３０を示す。
【図１Ｂ】破裂板１００とは別個のコンポーネントとして支持リング１３０を示す。
【図１Ｃ】破裂板１００とは別個のコンポーネントとして支持リング１３０を示す。
【図１Ｄ】破裂板１００とは別個のコンポーネントとして支持リング１３０を示す。
【図２】破裂板２００とは別個のコンポーネントとして支持リング２３０を示す。
【図３Ａ】破裂板に、一体的な支持リングが提供されうる一実施形態を示す。
【図３Ｂ】破裂板に、一体的な支持リングが提供されうる一実施形態を示す。
【図４】単一の脆弱性のラインを示す。
【図５Ａ】既知の脆弱性のラインを示す。
【図５Ｂ】脆弱性の１つ又は複数のラインが、円板表面に対して傾斜した角度において提供されている実施形態を示す。
【図５Ｃ】脆弱性の１つ又は複数のラインが、円板表面に対して傾斜した角度において提供されている実施形態を示す。
【図６】先端が切り取られた円錐台の形状の破裂板を示す。
【図７Ａ】一体的な破裂要素の一実施形態を示す。
【図７Ｂ】一体的な破裂要素の一実施形態を示す。
【図８Ａ】一体的な破裂可能な部分の別の実施形態を示す。
【図８Ｂ】一体的な破裂可能な部分の別の実施形態を示す。
【図９Ａ】一体的な破裂可能な部分の別の実施形態を示す。
【図９Ｂ】一体的な破裂可能な部分の別の実施形態を示す。
【図１０Ａ】一体的な破裂可能な部分の更に別の実施形態を示す。
【図１０Ｂ】一体的な破裂可能な部分の更に別の実施形態を示す。
【発明を実施するための形態】
【０００７】
[006]  以下、その例が添付図面に示されている、本例示用の実施形態を詳細に参照することとする。可能な場合には常に、同一又は類似の部分を参照するべく、図面の全体を通じて同一の参照符号を使用することとする。本出願の図面の図は、基礎をなすシステムの作用要素の一般的な理解を提供することを意図したものである。従って、明示的に記述されていない限り、これらの図は、比例に基づいた寸法の忠実な描画又は図示されている相互に関係したコンポーネントの正確な場所を表すものではない。
【０００８】
[007]  図１Ａ〜図１Ｃは、本開示の一実施形態を示している。図示されているように、破裂板１００は、遷移部分１０２によって接続された、フランジ１０１及び中央部分１０３を有する。図示のように、フランジ１０１は、上流の封止体１２０と下流の支持リング１３０との間において位置決めされている。図示の実施形態においては、フランジ１０１、封止体１２０、及びリング１３０は、クリンプ１１２により、ホルダ１１０のフランジ１１１に圧接した状態において、その位置が保持されている。図１Ｃは、クリンプ１１２が、フランジ１０１、封止体１２０、及びリング１３０を定位置において保持するべく下方に折り曲げられる前の、図１Ａ〜図１Ｃの実施形態を示している。
【０００９】
[008]  図１Ａ〜図１Ｃに示されているように、破裂板１００は、容器及び／又は加圧された容積の封止された内部に向かってその凸状表面が方向付けされるように構成された、逆作動型（reverse-acting）の破裂板である。破裂板１００は、容器及び／又は加圧された容積の封止された内部内の過圧力状態に応答して反転するように構成されている。一実施形態においては、破裂板１００は、反転の際に「破裂」又は断裂して開放し、これにより、加圧された流体が逃げることを許容するように、構成することができる。別の実施形態においては、破裂板１００は、開口部を伴うことなしに反転し、これにより、（容器／容積からの加圧された流体の放出を伴うことなしに）過圧力状態の視覚的な通知を提供するように、構成することができる。
【００１０】
[009]  図１Ａ〜図１Ｃに示されている実施形態においては、破裂板１００は、ホルダ１１０の下流／出口側から設置されている。この代わりに、破裂板は、図１Ｄにおいて示されているように、ホルダの上流／入口側からも設置されうるものと想定されている。
【００１１】
[010]  封止体１２０は、エラストマガスケット、金属ガスケット、又は接着剤を含む、任意の数の適切な封止体であってよい。また、破裂板１００は、別個の介在する封止コンポーネント１２０を伴うことなしに、ホルダ１１０のフランジ１１１に直接的に圧接した状態において設置されうるものとも想定されている。例えば、破裂板フランジ１０１及びホルダフランジ１１１の一方又は両方には、その他のコンポーネントとの間において機械的な封止体（例えば、バイト封止体（bite seal））を生成するように構成された表面特徴を提供することができる。
【００１２】
[011]  クリンプ１１２は、定位置にクリンプ処理された際に、破裂板フランジ１０１の下流／出口側において流体密の封止体を生成しうるものと更に想定されている。例えば、支持リング１３０は、ガスケット又はスプリングワッシャであってよく、これは、クリンプ１１２と結合し、及び／又は、これによって圧縮され、これにより、封止体を生成することができる。（図示されてはいない）別の例として、ガスケット又はスプリングワッシャは、支持リング１３０に対する更なるコンポーネントとして提供されていてもよく、例えば、スプリングワッシャは、封止体を形成するべく、クリンプ１１２と支持リング１３０との間において位置決めすることができる。更に別の例として、封止体を生成するべく、クリンプ１１２と支持リング１３０との間において接着剤を提供することもできる。更なる一例として、クリンプ１１２及び支持リング１３０の一方又は両方には、その他のコンポーネントとの間において機械的な封止体（例えば、バイト封止体）を生成するように構成された表面特徴を提供することができる。
【００１３】
[012]  図２には、封止体の更なる一実施形態が示されている。図示されているように、破裂板２００は、支持リング２３０と係合したフランジ２０１を有する。ポケットガスケット２２０が、フランジ２０１及び支持リング２３０の外周を取り囲んでいる。ポケットガスケット２２０は、ホルダ２１０との間において封止体を形成することができる。図２は、フランジ２０１及び支持リング２３０を定位置において保持するべく折り曲げられる前の、クリンプ２１２を描いている。一実施形態においては、クリンプ２１２を定位置に折り曲げることにより、ポケットガスケット２２０によって生成される封止体の有効性を増大させることができる。
【００１４】
[013]  図１Ａ〜図１Ｄ及び図２は、破裂板１００、２００とは別個のコンポーネントとして支持リング１３０、２３０を示しているが、破裂板には、一体的な支持リングが提供されうる（例えば、これらのコンポーネントが単一片の材料から形成されうる）ものと想定されている。図３Ａ〜図３Ｂにおいては、このような一実施形態が示されている。図示のように、破裂板３００は、遷移部分３０２によって中央部分３０３に接続された一体的な支持リング３０１を有する。支持リング３０１は、図１Ａ〜図１Ｄとの関連において上述したものに類似した方式により、クリンプ３１２により、定位置において保持することができる。更には、支持リング３０１には、封止体３２０が提供されてもよく、或いは、さもなければ、図１Ａ〜図１Ｄ及び図２との関連において上述したものに類似した方式により、上流又は下流封止体が提供されてもよい。
【００１５】
[014]  一体的な支持リング３０１を破裂板３００に提供することにより、利点を提供することができる。例えば、一体的な支持リングを使用することにより、破裂板を設置するべく必要とされるコンポーネントの数が極小化される。更には、一体的な支持リングを使用することにより、潜在的な漏洩経路の数が極小化され、これにより、信頼性が増大する。
【００１６】
[015]  破裂板１００、２００、３００が、反転の際に破裂するように設計されている一実施形態においては、破裂板には、１つ又は複数の脆弱性のラインが提供されてもよく、これらの脆弱性のラインは、円板が断裂しうるラインを規定することができる。図４には、例示用の脆弱性のラインが示されている。図４においては、破裂板４００には、遷移部分４０２によって中央部分４０３にリンクされたフランジ４０１が提供されている。図示のように、フランジ４０１は、封止体４２０と支持リング４３０との間において位置決めされている。クリンプ４１２が、ホルダ４１０のフランジ４１１に圧接した状態において、フランジ４０１、封止体４２０、及び支持リング４３０を定位置において保持している。破裂板４００は、脆弱性のライン４０５を規定しており、破裂板４００は、反転の際に、これに沿って断裂することになる。脆弱性のラインは、スタンピング、剪断、或いは、（例えば、スコアリング（scoring）、レーザーアブレーション、化学的エッチング、又はその他のプロセスを介した）材料の除去などの、任意の適切な方法により、生成することができる。
【００１７】
[016]  また、図４は、単一の脆弱性のラインを示しているが、複数の脆弱性のラインが、破裂板の凹状及び凸状表面の一方又は両方の上部に提供されうるものと想定されている。
【００１８】
[017]  図４に示されているように、脆弱性のライン４０５は、破裂板４００の遷移部分４０２において、或いは、その近傍において、位置決めされている。この配置は、加圧された流体が、封止されたシステムから逃避しうる、大きな開口部などの、利点を提供することができる。但し、脆弱性のラインは、望ましい破裂板性能（例えば、開口部のサイズ及び形状、円板が開放することになる圧力）を実現するべく、破裂板のその他の部分においても提供されうるものと想定されている。
【００１９】
[018]  脆弱性のライン４０５は、円形の脆弱性のラインとして示されており、これは、破裂板４００の中央部分の円形の周囲に準拠している。一実施形態においては、このような脆弱性のライン４０５は、完全な円を形成しうる。但し、別の実施形態においては、脆弱性のライン４０５は、部分的な円（例えば、半円、４分の３の円、３００度の円弧）を形成することもできる。脆弱性のラインが部分的な円のみを形成している際には、残りの弱化されていない部分は、ヒンジとして機能しうる。破裂板が脆弱性のラインに沿って断裂した際に、ヒンジは、断裂した材料（「花弁」と呼称される）が破裂板から完全に分離することを防止することができる。
【００２０】
[019]  脆弱性のライン４０５は、連続的な脆弱性のラインとして示されている。但し、この代わりに、不連続で、間欠的な、脆弱性のラインが提供されうるものと想定されている。
【００２１】
[020]  本開示は、円形の脆弱性のラインに限定されるものではない。脆弱性のラインは、例えば、破裂板の直径に対して偏心した状態において、不規則な経路を辿ることができる。或いは、この代わりに、脆弱性のラインは、完全な又は部分的な角を有する又は多角形の形状（例えば、三角形、正方形、矩形、五角形、六角形、又はその他の形状）を形成することもできる。一実施形態においては、脆弱性のラインは、湾曲した且つまっすぐな又は角を有するセグメントの組合せを含みうる。
【００２２】
[021]  既知の脆弱性のラインは、従来のスコアリング技術における一般に認識されている制限に起因して、破裂板に対して垂直の方向において破裂板材料に付与されている。既知の脆弱性のラインは、例えば、図５Ａにおいて示されている。但し、本開示は、脆弱性のラインが、円板表面に対して垂直である以外の角度において付与されうることを認識している。本開示は、現在の製造技術（例えば、レーザーアブレーションを含む）が、円板表面に対するいくつかの角度において脆弱性のラインを付与するべく使用されうることを認識している。図５Ｂ及び図５Ｃは、脆弱性の１つ又は複数のラインが、円板表面に対して傾斜した角度において提供されている実施形態を示している。図５Ｃにおいては、２つの脆弱性のラインが提供されている。本開示は、この代わりに、１つ又は２つ超の脆弱性のラインが提供されうるものと想定している。更には、本開示は、脆弱性のラインの角度が脆弱性のラインに沿って変化しうることをも認識している。これに加えて、又はこの代わりに、脆弱性のラインの断面形状、幅、深さ、及び／又はその他の幾何学的尺度が、脆弱性のラインに沿って変化することもできる。例えば、図５Ａ、図５Ｂ、及び図５Ｃの脆弱性のラインは、断面がＶ字の形状として示されているが、脆弱性のラインのすべて又は一部分は、その他の形状（例えば、正方形、矩形、湾曲、半円形、又はその他の形状）を有しうるものと想定されている。脆弱性のラインは、例えば、階段状であってもよく、或いは、ジグザグ形状を辿ることもできる。
【００２３】
[022]  本開示は、円板表面に対して垂直である以外の角度において脆弱性のラインを付与することにおけるいくつかの利点を認識している。例えば、脆弱性のラインの角度は、破裂板に対する圧力が脆弱性のラインを閉鎖し、これにより、圧力下にある際に円板を強化する傾向を有するように、選択されうるものと想定されている。
【００２４】
[023]  また、通常、破裂板に脆弱性のラインが提供される際には、破裂板には、脆弱性のラインとインターフェイスするように、且つ、円板の開放の開始を支援するように、構成された応力集中点も提供されている。既知の破裂板は、破裂板支持リング（例えば、１３０、２３０、４３０）から突出する「歯」などの、別個のコンポーネントに依存しており、これは、脆弱性のラインの近傍において設置されている。但し、破裂板組立体内のコンポーネントの数を低減することが望ましい場合がある。従って、本開示は、脆弱性のラインの開放を促進するべく、一体的な応力集中特徴を破裂板に提供することを想定している。一実施形態においては、一体的な応力集中特徴は、（例えば、材料の除去、インデント加工、剪断、又はその他の手段を通じた）更なる弱化の対象となる脆弱性のラインの一部分であってよい。別の実施形態においては、一体的な応力集中特徴は、第１の脆弱性のラインに隣接して、その近傍において、或いは、それに対して所定の角度において（例えば、接した状態において）、位置決めされた、第２の弱化された地点又はラインであってよい。更に別の一実施形態においては、応力誘発特徴は、第１の脆弱性のラインに隣接して、その近傍において、或いは、それに対して所定の角度において、配置された強靭性の地点又はラインであってもよい。別の実施形態においては、破裂板には、脆弱性のラインに装着された（例えば、スポット溶接された又は接着された）、或いは、その近傍において又はそれに隣接して追加的に製造された（例えば、３Ｄ印刷された）、歯又は突出部などの、追加的な応力誘発特徴を提供することができる。破裂板の製造の際には、このような装着された又は追加的に製造された特徴は、脆弱性のラインが生成される前に又はその後に、円板に追加することができる。一実施形態によれば、破裂板に一体的な応力集中特徴が提供される際には、図３Ａ及び図３Ｂにおいて示されているように、支持リング（例えば、１３０、２３０、４３０）を省略することができると共に、破裂板をホルダ内において直接的に位置決めすることができる。
【００２５】
[024]  図１Ａ〜図１Ｄに示されている実施形態においては、破裂板１００の中央部分１０３には、インデント１０４が提供されている。インデント１０４は、（図示されているように）破裂板の凸状表面内において配置されてもよく、及び／又は、インデントは、破裂板の凹状表面内において配置されてもよい（図示されてはいない）。インデント１０４は、任意の適切な手段により、生成することができる。非限定的な例として、インデント１０４は、スタンピング、剪断、或いは、（例えば、スコアリング、レーザーアブレーション、化学的エッチング、又はその他のプロセスによる）材料の除去により、生成することができる。
【００２６】
[025]  インデント１０４は、中央部分１０３の反転のための開始点を提供するように構成することができる。図示されているように、インデント１０４は、その頂点において中央部分１０３の反転を開始するべく、中央部分１０３の頂点において位置決めされている。但し、インデントは、この代わりに、円板の別の部分において反転を開始するべく、頂点から離れたところにおいて位置決めされうるものと想定されている。
【００２７】
[026]  インデント１０４が示されているが、反転のための開始点を提供するべく、その他の特徴が提供されうるものと想定されている。インデント加工の代わりに、或いは、これに加えて、例えば、脆弱性の地点、強靭性の地点、局所化された材料の薄化、又はその他の特徴を提供することができる。更には、破裂板は、反転用の特定の開始点を提供するためのインデント加工又はその他の特徴を伴うことなしに、提供されうるものと更に想定されている。
【００２８】
[027]  図１Ａ〜図１Ｄ、図２、図３Ａ、図３Ｂ、及び図４に示されている破裂板は、ドーム形状の中央部分を有する。本開示は、このような構成に限定されるものではない。例えば、本開示の原理は、図６に示されているものなどの、先端が切り取られた円錐台の形状の破裂板と共に使用されうるものと想定されている。
【００２９】
[028]  図１Ａ〜図１Ｄ、図２、図３Ａ、図３Ｂ、及び図４に示されている破裂板は、全体的に円形である。本開示は、このような構成に限定されるものではない。例えば、本開示の原理は、非円形のドーム又は円錐台のベースを有する破裂板と共に使用されうるものと想定されている。一実施形態においては、破裂板のドームベースは、五角形、六角形、正方形、矩形、又はその他の形状を有することができる。一実施形態においては、このような円板には、上述のように、不規則な脆弱性のラインを提供することができる。本開示によれば、脆弱性のラインは、（破裂板の遷移部分又はフランジの上部ではなく）ドーム又は円錐台自体の上部に配置することができる。このような配置は、破裂の際に、改善された力の伝達及び材料の断裂を許容することができる。
【００３０】
[029]  図１Ａ〜図１Ｄ、図２、図３Ａ、図３Ｂ、及び図４に示されている破裂板は、全般的に半径方向において対称的である。本開示は、このような構成に限定されるものではない。例えば、本開示の原理は、オフセットされたドーム形状（例えば、この場合には、ドームの頂点は、破裂板の中央半径方向軸から離れたところに位置決めされている）又はオフセットされた円錐台形状（例えば、この場合には、円錐台の中央部分の中心は、破裂板の中央半径方向軸から離れたところに位置決めされている）を有する破裂板と共に使用されうるものと想定されている。一実施形態においては、このような円板には、上述のように、不規則な脆弱性のラインを提供することができる。本開示によれば、脆弱性のラインは、（破裂板の遷移部分又はフランジの上部ではなく）オフセットされたドーム又は円錐台自体の角を有する部分の上部に配置することができる。このような配置は、破裂の際に、改善された力の伝達及び材料の断裂を許容することができる。
【００３１】
[030]  破裂板は、破裂板組立体を形成するべく、ホルダ（例えば、１１０、２１０、３１０、４１０）内において位置決めすることができる。一実施形態においては、この組立体は、封止方式により、容器の開口部に付着されてもよく、これにより、破裂板は、容器内の過圧力状態に応答して、反転及び／又は破裂するように構成されている。
【００３２】
[031]  但し、本開示は、破裂可能な要素を直接的に封止対象の容器の材料内に一体的に形成することが望ましい場合があることを認識している。例えば、容器又は容器の一部分は、シート金属（例えば、アルミニウム）から製造されてもよく、シート金属は、破裂可能な要素を含むように、成形することできる。このような設計は、材料費用の節約、製造費用の節約、相対的に簡単且つ迅速な設置、及び潜在的な漏洩地点の低減又は除去などの、利点を提供している。
【００３３】
[032]  図７Ａ及び図７Ｂには、一体的な破裂要素の一実施形態が示されている。図示のように、プロセス又は容器壁７００は、破裂可能な部分７１０を含むように成形することができる。破裂可能な部分７１０は、プロセス又は容器の内側の既定の圧力に応答して反転及び／又は破裂するように構成されている。図示の実施形態においては、破裂可能な部分７１０は、円形であり、且つ、ドーム形状である。この代わりに、上述のように、破裂可能な部分のその他の形状を使用することもできる。図示の実施形態においては、破裂可能な部分７１０には、脆弱性の剪断ライン７０５と、頂点インデント７０４と、が提供されている。上述のように、その他の脆弱性のライン及び／又はその他のインデント加工が使用されうるものと想定されている。
【００３４】
[033]  図８Ａ及び図８Ｂには、一体的な破裂可能な部分の別の実施形態が示されている。図示のように、プロセス又は容器壁８００は、遷移部分８０２によって壁８００に結合された破裂可能な部分８１０を含むように成形することができる。破裂可能な部分８１０は、プロセス又は容器の内側の既定の圧力に応答して反転及び／又は破裂するように構成されている。図示の実施形態においては、破裂可能な部分８１０及び遷移部分８０２は、円形であり、且つ、破裂可能な部分８１０は、ドーム形状である。この代わりに、上述のように、その他の破裂可能な部分の形状を使用することもできる。図示の実施形態においては、脆弱性の剪断ライン８０５が、遷移部分８０２と破裂可能な部分８１０との間に提供されており、且つ、頂点インデント８０４が、破裂可能な部分８１０内に提供されている。上述のように、その他の脆弱性のライン及び／又はその他のインデント加工が使用されうるものと想定されている。
【００３５】
[034]  図９Ａ及び図９Ｂは、一体的な破裂可能な部分の別の実施形態を示している。図示のように、プロセス又は容器壁９００は、円筒形の壁９２０と、破裂可能な部分９１０と、を含むように成形することができる。破裂可能な部分９１０は、プロセス又は容器の内側の既定の圧力に応答して反転及び／又は破裂するように構成されている。反転の際に破裂可能な部分９１０の破裂を促進するべく、１つ又は複数の脆弱性のライン（図示されていない）を提供することができる。
【００３６】
[035]  図１０Ａ及び図１０Ｂは、一体的な破裂可能な部分の更に別の実施形態を示している。図示のように、プロセス又は容器壁１０００は、円筒形の壁１０２０と、破裂可能な部分１０１０と、を含むように成形することができる。支持部材１０３０が円筒形壁１０２０に沿って提供されている。支持部材１０３０は、反転の際に破裂を促進するために（図示されてはいない）脆弱性のラインと相互作用するべく、破裂可能な部分に破裂径剛性を追加するように、或いは、（図示されてはいない）応力集中点、歯部材、又は切断要素を提供するように、構成することができる。
【００３７】
[036]  図９Ａ〜図１０Ｂに示されている実施形態においては、破裂可能な部分及び円筒形の壁は、円形であり、且つ、破裂可能な部分は、ドーム形状である。この代わりに、上述のように、破裂可能な部分及び円筒形の壁のその他の形状を使用することもできる。
【００３８】
[037]  反転型の破裂板及び破裂可能な部分が以上において開示されているが、本開示の原理は、前作動型（forward-acting）の破裂板（即ち、張力が印加された破裂板）又はプロセス／容器壁の前作動型の破裂可能部分と共に使用することもできる。
【００３９】
[038]  上述の実施形態の１つ又は複数の特徴は、本開示に従って相互に組み合わせられうるものと想定されている。
【００４０】
[039]  その他の実施形態については、本明細書の検討及び本明細書における開示の実施から、当業者には、明らかとなろう。本開示の真の範囲及び精神は、添付の請求項によって示されており、本明細書及び例は、例示を目的としたものに過ぎないものと見なされるべく意図されている。
【図１Ａ】
2020537099.tif 000003
【図１Ｂ】
2020537099.tif 000004
【図１Ｃ】
2020537099.tif 000005
【図１Ｄ】
2020537099.tif 000006
【図２】
2020537099.tif 000007
【図３Ａ】
2020537099.tif 000008
【図３Ｂ】
2020537099.tif 000009
【図４】
2020537099.tif 000010
【図５Ａ】
2020537099.tif 000011
【図５Ｂ】
2020537099.tif 000012
【図５Ｃ】
2020537099.tif 000013
【図６】
2020537099.tif 000014
【図７Ａ】
2020537099.tif 000015
【図７Ｂ】
2020537099.tif 000016
【図８Ａ】
2020537099.tif 000017
【図８Ｂ】
2020537099.tif 000018
【図９Ａ】
2020537099.tif 000019
【図９Ｂ】
2020537099.tif 000020
【図１０Ａ】
2020537099.tif 000021
【図１０Ｂ】
2020537099.tif 000022
【手続補正書】
【提出日】令和2年6月11日(2020.6.11)
【手続補正１】
【補正対象書類名】特許請求の範囲
【補正対象項目名】全文
【補正方法】変更
【補正の内容】
【特許請求の範囲】
【請求項１】
フランジ部分と、
反転型のドーム部分と、
前記フランジ部分を前記反転型のドーム部分に結合する遷移部分と、を備え、
前記ドーム部分は頂点を規定し、且つ、前記ドーム部分は、前記頂点にインデント加工をさらに規定し、
前記ドーム部分は、脆弱性のラインをさらに規定する、破裂板。
【請求項２】
前記脆弱性のラインは前記遷移部分の近傍に位置決めされる、請求項１に記載の破裂板。
【請求項３】
前記破裂板は、前記ドーム部分の反転の際に集中した応力を前記脆弱性のラインに適用するように構成された一体的な応力集中特徴をさらに備える、請求項１に記載の破裂板。
【請求項４】
前記脆弱性のラインは、相対的に脆弱なセグメントを含むように構成され、且つ、前記ドーム部分は、反転の際に前記相対的に脆弱なセグメントにおいて破裂を開始するように構成される、請求項１に記載の破裂板。
【請求項５】
前記少なくとも１つの脆弱性のラインは、前記破裂板の直径に対して偏心した状態において非円形であるか、角を有しているか、又は、湾曲したものと角を有するものの組合せである、請求項１に記載の破裂板。
【請求項６】
前記ドーム部分のベースは非円形である、請求項１に記載の破裂板。
【請求項７】
前記ドーム部分の前記ベースは、正方形形状、多角形、矩形、五角形、又は六角形のうちの１つである、請求項６に記載の破裂板。
【請求項８】
前記ドーム部分は、少なくとも１つの脆弱性のラインを規定しており、前記少なくとも１つの脆弱性のラインは、前記破裂板の直径に対して偏心した状態において非円形であるか、角を有しているか、又は、湾曲したものと角を有するものの組合せである、請求項７に記載の破裂板。
【請求項９】
前記頂点は、前記破裂板の中央半径方向直径からオフセットされている、請求項１に記載の破裂板。
【請求項１０】
フランジ部分と、反転型のドーム部分と、を有する破裂板と、
ホルダであって、前記破裂板を前記ホルダ内の位置にクリンプ処理するように構成されたホルダと、を備える破裂板組立体。
【請求項１１】
前記破裂板と前記ホルダとの間に流体密の障壁を形成するように構成された封止体をさらに備える、請求項１０に記載の破裂板組立体。
【請求項１２】
前記封止体はポケット封止体である、請求項１１に記載の破裂板組立体。
【請求項１３】
少なくとも１つの容器壁を備え、
前記少なくとも１つの容器壁は、破裂可能な部分を規定する、封止された容器。
【請求項１４】
フランジ部分と、
反転型のドーム部分と、
前記フランジ部分を前記反転型のドーム部分に結合する遷移部分と、を備え、
前記ドーム部分は頂点を規定し、且つ、前記ドーム部分は、前記頂点にインデント加工をさらに規定し、
前記ドーム部分は、前記遷移部分の近傍に脆弱性のラインをさらに規定し、
前記脆弱性のラインは、相対的に脆弱なセグメントを含むように構成され、
前記ドーム部分は、反転の際に前記相対的に脆弱なセグメントにおいて破裂を開始するように構成される、破裂板。
【請求項１５】
フランジ部分と、
反転型のドーム部分と、
前記フランジ部分を前記反転型のドーム部分に結合する遷移部分と、を備え、
前記ドーム部分は頂点を規定し、且つ、前記ドーム部分は、前記頂点にインデント加工をさらに規定し、
前記ドーム部分は、少なくとも１つの脆弱性のラインをさらに規定し、前記少なくとも１つの脆弱性のラインは、前記破裂板の直径に対して偏心した状態において非円形であるか、角を有しているか、又は、湾曲したものと角を有するものの組合せである、破裂板。
【請求項１６】
フランジ部分と、
反転型のドーム部分と、
前記フランジ部分を前記反転型のドーム部分に結合する遷移部分と、を備え、
前記ドーム部分は、少なくとも１つの脆弱性のラインを規定し、前記少なくとも１つの脆弱性のラインは、前記破裂板の直径に対して偏心した状態において非円形であるか、角を有しているか、又は、湾曲したものと角を有するものの組合せである、破裂板。
【請求項１７】
フランジ部分と、
ベースを有する反転型のドーム部分と、
前記フランジ部分を前記反転型のドーム部分に結合する遷移部分と、を備え、
前記ドーム部分は頂点を規定し、且つ、前記ドーム部分は、前記頂点にインデント加工をさらに規定し、
前記ドーム部分の前記ベースは非円形である、破裂板。
【請求項１８】
前記ドーム部分の前記ベースは、正方形形状、多角形、矩形、五角形、又は六角形のうちの１つである、請求項１７に記載の破裂板。
【請求項１９】
前記ドーム部分は、少なくとも１つの脆弱性のラインを規定し、前記少なくとも１つの脆弱性のラインは、前記破裂板の直径に対して偏心した状態において非円形であるか、角を有しているか、又は、湾曲したものと角を有するものの組合せである、請求項１８に記載の破裂板。
【請求項２０】
フランジ部分と、
反転型のドーム部分と、
前記フランジ部分を前記反転型のドーム部分に結合する遷移部分と、を備え、
前記ドーム部分は頂点を規定し、且つ、前記頂点は、前記破裂板の中央半径方向直径からオフセットされ、
前記ドーム部分は、脆弱性のラインをさらに規定し、前記脆弱性のラインは非円形である、破裂板。
【請求項２１】
前記頂点は、インデント加工をさらに規定する、請求項２０に記載の破裂板。
【請求項２２】
前記脆弱性のラインは前記遷移部分にまたがって延在する、請求項１に記載の破裂板。
【請求項２３】
前記反転型のドーム部分は、第１曲率半径を規定する第１ドーム領域と第２曲率半径を規定する第２ドーム領域との間の遷移部を規定する複合ドームであり、
前記脆弱性のラインは、前記第１ドーム領域と前記第２ドーム領域との間の前記遷移部にまたがって延在する、請求項１に記載の破裂板。
【請求項２４】
前記第２ドーム領域は前記第１ドーム領域と同心円状である、請求項２３に記載の破裂板。
【請求項２５】
前記第２ドーム領域は前記第２ドーム領域から偏心している、請求項２３に記載の破裂板。
【手続補正２】
【補正対象書類名】明細書
【補正対象項目名】００１８
【補正方法】変更
【補正の内容】
【００１８】
[017]  図４に示されているように、脆弱性のライン４０５は、破裂板４００の遷移部分４０２において、或いは、その近傍において、位置決めされている。この配置は、加圧された流体が、封止されたシステムから逃避しうる、大きな開口部などの、利点を提供することができる。但し、脆弱性のラインは、望ましい破裂板性能（例えば、開口部のサイズ及び形状、円板が開放することになる圧力）を実現するべく、破裂板のその他の部分においても提供されうるものと想定されている。例えば、一実施形態において、少なくとも１つの脆弱性のラインは、脆弱性のラインが破裂板のドーム部分上に部分的に、且つ、フランジ部分上に部分的に付与されるように、破裂板の遷移部分（例えば、４０２）にまたがって延在するように構成されてもよい。こうした脆弱性のラインは、「Ｘ」形状、「Ｃ」形状又は他の適切な形状であってもよい。別の例として、一実施形態において、脆弱性のラインは、ドーム形の領域からドーム及びフランジの間の遷移部まで延在してもよい。
【手続補正３】
【補正対象書類名】明細書
【補正対象項目名】００３７
【補正方法】変更
【補正の内容】
【００３７】
[036]  図９Ａ〜図１０Ｂに示されている実施形態においては、破裂可能な部分及び円筒形の壁は、円形であり、且つ、破裂可能な部分は、ドーム形状である。この代わりに、上述のように、破裂可能な部分及び円筒形の壁のその他の形状を使用することもできる。本開示の原理は、複合（compound）形状の破裂板と共に使用されてもよいことがさらに想定される。例えば、先端が切り取られた円錐台（例えば、図６に示すように）は、中央ドーム部分にフランジを接続してもよい。複合形状の破裂板の別の例として、破裂板の中央ドーム部分は、異なる曲率半径を有する第２の円錐台ドーム形状によってフランジ部分に結合されてもよい。２つのドーム部分が同心円状に又は偏心して位置決めされてもよい。複合形状の破裂板では、脆弱性のライン（例えば、「Ｘ」形状又は「Ｃ」形状の脆弱性のライン）は、２つのドーム部分の間の遷移部にまたがって延在してもよい。
【国際調査報告】
2020537099.tif 000023
2020537099.tif 000024
2020537099.tif 000025